(57)【要約】      （修正有）【課題】最初の落石による金網の目の広がりや破れを抑制することができる結果、続いて起こる落石に確実に対応することができる落石防護柵を提供すること。【解決手段】斜面に設置される支柱１と、支柱１間に張り渡される金網２とを備え、金網２は、折返し用棒鋼７を金網２とともに支柱１側に引き寄せて、金網２の端部を畳むことにより形成される伸び代部８を有し、落石が金網２に衝突した際に、金網２は、伸び代部８の長さ分だけ伸びる。【選択図】図１
2018199934.tif 000002
【特許請求の範囲】
【請求項１】
落石を防止するために斜面に構築される落石防護柵において、
前記斜面に設置される支柱と、前記支柱間に張り渡される金網とを備え、前記金網は、伸び代部を有し、落石が前記金網に衝突した際に、前記金網は、前記伸び代部の長さ分だけ伸びることを特徴とする落石防護柵。
【請求項２】
前記伸び代部は、前記金網の少なくとも一方の端部を前記支柱側に引き寄せることにより形成され、前記伸び代部は、前記支柱に仮止め部材を介して仮止めされ、落石が前記金網に衝突した際に、前記仮止め部材が破断して、前記金網が前記伸び代部の長さ分だけ伸びることを特徴とする、請求項１に記載の落石防護柵。
【請求項３】
前記伸び代部は、前記金網の端部に差し込んだ折返し用棒鋼を、前記金網とともに前記支柱側に引き寄せることにより形成され、前記折返し用棒鋼は、前記支柱に前記仮止め部材を介して仮止めされていることを特徴とする、請求項２に記載の落石防護柵。
【請求項４】
前記仮止め部材は、結束バンドからなっていることを特徴とする、請求項２または３に記載の落石防護柵。
【発明の詳細な説明】
【技術分野】
【０００１】
この発明は、落石防護柵、特に、金網に伸び代部を設けることによって、最初の落石による金網の目の広がりや破れを抑制することができる結果、続いて起こる落石に確実に対応することができる落石防護柵に関するものである。
【背景技術】
【０００２】
道路等への落石を防止するために、斜面に落石防護柵を設置することは一般的に行われている。
【０００３】
落石防護柵の一例を、図面を参照しながら説明する。以下、この落石防護柵を従来落石防護柵という。
【０００４】
図４は、従来落石防護柵を示す概略斜視図である。
【０００５】
図４において、１１は、斜面１２に所定間隔をあけて構築された支柱、１３は、支柱１１の上端部と山側（Ｍ）の斜面１２との間に張られた山側ワイヤ、１４は、支柱１１の上端部と谷側（Ｖ）の斜面１２との間に張られた谷側ワイヤ、１５は、支柱１１間に張られた、落石を受け止める金網である。
【０００６】
上述した従来落石防護柵によれば、落石は、金網１５により受け止められる結果、石が道路等に落下することを防止することができる。この際、支柱１１は、山側ワイヤ１３により引っ張られているので、支柱１１が谷側（Ｖ）に倒れるおそれはない。
【０００７】
また、斜面１１からの落石が金網１５に衝突すると、山側ワイヤ１３に引張力が作用し、その反動で支柱１１には、支柱１１が山側（Ｍ）に倒れ込む力が作用するが、支柱１１は、谷側ワイヤ１４により引っ張られているので、支柱１１が山側（Ｍ）に倒れ込むおそれはない。
【発明の概要】
【発明が解決しようとする課題】
【０００８】
しかしながら、従来落石防護柵によれば、支柱１１間に張られている金網１５に伸び代部がないので、最初の落石の程度が大きいと、金網１５の目が大きく広がったり、金網１５が破れたりすることがあった。
【０００９】
このように、最初の落石により金網１５の目が大きく広がったり、金網１５が破れたりすると、続いて起こる落石に対応することができないといった問題があった。
【００１０】
従って、この発明の目的は、支柱間に張られる金網に伸び代部を設けることによって、最初の落石による金網の目の広がりや破れを抑制することができる結果、続いて起こる落石に確実に対応することができる落石防護柵を提供することにある。
【課題を解決するための手段】
【００１１】
この発明は、上記目的を達成するためになされたものであり、下記を特徴とする。
【００１２】
請求項１に記載の発明は、落石を防止するために斜面に構築される落石防護柵において、前記斜面に設置される支柱と、前記支柱間に張り渡される金網とを備え、前記金網は、伸び代部を有し、落石が前記金網に衝突した際に、前記金網は、前記伸び代部の長さ分だけ伸びることに特徴を有するものである。
【００１３】
請求項２に記載の発明は、請求項１に記載の発明において、前記伸び代部は、前記金網の少なくとも一方の端部を前記支柱側に引き寄せることにより形成され、前記伸び代部は、前記支柱に仮止め部材を介して仮止めされ、落石が前記金網に衝突した際に、前記仮止め部材が破断して、前記金網が前記伸び代部の長さ分だけ伸びることに特徴を有するものである。
【００１４】
請求項３に記載の発明は、請求項２に記載の発明において、前記伸び代部は、前記金網の端部に差し込んだ折返し用棒鋼を、前記金網とともに前記支柱側に引き寄せることにより形成され、前記折返し用棒鋼は、前記支柱に前記仮止め部材を介して仮止めされていることに特徴を有するものである。
【００１５】
請求項４に記載の発明は、請求項２または３に記載の発明において、前記仮止め部材は、結束バンドからなっていることに特徴を有するものである。
【発明の効果】
【００１６】
この発明によれば、金網に伸び代部を設けることによって、最初の落石による金網の目の広がりや破れを抑制することができる結果、続いて起こる落石に確実に対応することができる。
【図面の簡単な説明】
【００１７】
【図１】この発明の落石防護柵において、落石が金網に衝突する前の状態を示す部分斜視図である。
【図２】この発明の落石防護柵において、落石が金網に衝突した後の状態を示す部分斜視図である。
【図３】金網とワイヤの他の取付態様を示す正面図である。
【図４】従来落石防護柵を示す概略斜視図である。
【発明を実施するための形態】
【００１８】
この発明の落石防護柵の一実施態様を、図面を参照しながら説明する。
【００１９】
図１は、この発明の落石防護柵において、落石が金網に衝突する前の状態を示す部分斜視図、図２は、この発明の落石防護柵において、落石が金網に衝突した後の状態を示す部分斜視図である。
【００２０】
図１および図２において、１は、斜面に設置された、フランジ１ａとウエッブ１ｂとが形成されたＨ形鋼からなる支柱、２は、支柱１間に張り渡された菱形金網である。なお、金網は、菱形金網に限定されない。金網２の両端（一方端のみ図示）には、固定用棒鋼３が挿通され、固定用棒鋼３は、Ｕボルト・ナット４により支柱１の一方のフランジ１ａに固定されている。金網２の上下端（上端のみ図示）には、ワイヤ５が挿通され、金網２とワイヤ５とは、コイル１０により連結されている。ワイヤ５の両端は、アイボルト６を介して支柱１のウエッブ１ｂに固定されている。なお、コイル１０を使用せずに、図３に示すように、金網２にワイヤ５のみを挿通してワイヤ５に金網２を取り付けても良い。
【００２１】
７は、折返し用棒鋼であり、金網２の端部に差し込まれている。折返し用棒鋼７の上下端部は、Ｕ字状に折り曲げられ、ワイヤ５に係合している。なお、折返し用棒鋼７は、ワイヤ５に係合させずに、金網２に直接、係合させても良い。
【００２２】
８は、伸び代部である。伸び代部８は、図１に示すように、折返し用棒鋼７を金網２とともに支柱１側に引き寄せて、金網２の端部を畳むことにより形成される。金網２の畳み方向を、図１中、矢印で示す。伸び代部８は、金網２の何れか一方の端部、または、金網２の両端部に形成する。
【００２３】
９は、結束バンド等からなる仮止め部材であり、折返し用棒鋼７を固定用棒鋼３を介して支柱１に仮止めする。
【００２４】
以上のように構成されている、この発明によれば、以下のようにして、最初の落石による金網２の目の広がりや破れを抑制することができる結果、続いて起こる落石に確実に対応することができる。
【００２５】
落石防護柵の構築に際して、図１に示すように、折返し用棒鋼７を金網２とともに支柱１側に引き寄せて、金網２の端部を畳むことにより、金網２の少なくとも一方の端部に伸び代部８を形成する。伸び代部８が広がらないように、結束バンド等の仮止め部材９により折返し用棒鋼７と固定用棒鋼３とを結束して、折返し用棒鋼７を固定用棒鋼３を介して支柱１に仮止めする。
【００２６】
上記のように、金網２の少なくとも一方の端部に伸び代部８を形成した状態で落石が発生して、落石が金網２に衝突すると、その衝撃力により金網２が引っ張られる結果、仮止め部材９が破断して、金網２は、伸び代部８の長さ分だけ伸びる。
【００２７】
このように、金網２が伸びることによって、落石の衝撃力が吸収される結果、最初の落石により金網２の目が大きく広がったり、金網２が破れたりすることが抑制され、これによって、続いて起こる落石を確実に受け止めることができる。
【００２８】
以上、説明したように、この発明によれば、支柱１間に張られる金網２に伸び代部８を設けることによって、最初の落石による金網２の目の広がりや破れを抑制することができる結果、続いて起こる落石に確実に対応することができる。
【符号の説明】
【００２９】
１：支柱
１ａ：フランジ
１ｂ：ウエッブ
２：金網
３：固定用棒鋼
４：Ｕボルト・ナット
５：ワイヤ
６：アイボルト
７：折返し用棒鋼
８：伸び代部
９：仮止め部材
１０：コイル
１１：支柱
１２：斜面
１３：山側ワイヤ
１４：山側ワイヤ
１５：金網
【図１】
2018199934.tif 000003
【図２】
2018199934.tif 000004
【図３】
2018199934.tif 000005
【図４】
2018199934.tif 000006